(57)【特許請求の範囲】
【請求項１】
ブラスト室を構成する側壁１にノズル挿入開口２を設けると共に該側壁１外側におけるノズル挿入開口２に対応する位置に、傾動可能にされかつ横方向に貫通孔を有する回転体４を内装する縦回転トラニオン３を設け、該縦回転トラニオン３の背後下方に支持枠６を介して縦ナット筒８を前記側壁１方向に傾動可能にして設け、前記支持枠６の上方に、ブラストノズル１２を前記側壁１方向に水平往復移動可能にして貫通させる傾動枠体１１を配置すると共に該ブラストノズル１２の先端側を、前記回転体４の貫通孔に摺動自在に貫通してブラスト室内に臨ませ、前記傾動枠体１１内に、前記ブラストノズル１２の先端と製品表面との距離を調整できるように回転横ネジ軸１９の回転に伴って前後進する移動ナット２０と前記ブラストノズル１２とを連結体２１を介して連結させたノズル移動機構を備えると共に該傾動枠体１１の下部に前記縦ナット筒８に対応して上下方向に貫通する貫通孔を有する回転筒体１５を上下回動可能にして取付け、前記縦ナット筒８に回転縦ネジ軸１０を螺合貫通させると共に該回転縦ネジ軸１０の先端部を前記回転筒体１５に回転可能にして挿入係止させたことを特徴とするエヤーブラストノズルの支持装置。
【請求項２】
前記傾動枠体１１内のブラストノズル１２が、水平ガイドレール１６上において移動体１７及び取付体１８を介してスライド移動可能に支持されていることを特徴とする請求項１記載のエヤーブラストノズルの支持装置。
【請求項３】
前記回転縦ネジ軸１０の回転及び回転横ネジ軸１９の回転が手ハンドル９、２４により成される構成にされていることを特徴とする請求項１又は２記載のエヤーブラストノズルの支持装置。
【請求項４】
前記回転横ネジ軸１９に螺合される移動ナット２０及び連結体２１がそれぞれ２個が間隔をおいて配設されていることを特徴とする請求項１、２又は３記載のエヤーブラストノズルの支持装置。
【発明の詳細な説明】
【０００１】
【発明の属する技術分野】
本発明は、投射材を圧縮空気と共に噴射させて製品の表面をブラスト加工あるいはピーニング加工するエヤーブラストノズルの支持装置に関する。
【０００２】
【従来の技術】
従来、エヤーブラストにより製品の表面をブラスト加工あるいはピーニング加工をする場合、加工処理すべき製品が変わると投射材の投射方向もこれに応じて変える必要があり、実開平４−７３４５９号公報等で公知のブラストノズルの支持装置によりブラストノズルの支持角度を変えて効率よくブラスト加工をするようにしている。
【０００３】
【発明が解決しようとする課題】
上記のようなブラストノズルの支持装置は、投射材の噴射方向を大雑把に変更することは可能であるが、細やかな角度調整が困難であると共に製品の大きさが大きく異なる場合にはブラストノズル先端と製品との間の距離が大きくかわり、最適なブラスト加工条件で処理することができなくなる問題があった。
本発明は、上記の問題に鑑みて成されたもので、ブラストノズルの細やかな角度調整ができると共にブラストノズル先端から製品表面までの距離を細かく調整できるエヤーブラストノズルの支持装置を提供することを目的とする。
【０００４】
【課題を解決するための手段】
上記の目的を達成するために本発明におけるエヤーブラストノズルの支持装置は、ブラスト室を構成する側壁にノズル挿入開口を設けると共に該側壁外側におけるノズル挿入開口に対応する位置に、傾動可能にされかつ横方向に貫通孔を有する回転体を内装する縦回転トラニオンを設け、該縦回転トラニオンの背後下方に支持枠を介して縦ナット筒を前記側壁方向に傾動可能にして設け、前記支持枠の上方に、ブラストノズルを前記側壁方向に水平往復移動可能にして貫通させる傾動枠体を配置すると共に該ブラストノズルの先端側を、前記回転体の貫通孔に摺動自在に貫通してブラスト室内に臨ませ、前記傾動枠体内に、前記ブラストノズルの先端と製品表面との距離を調整できるように回転横ネジ軸の回転に伴って前後進する移動ナットと前記ブラストノズルとを連結体を介して連結させたノズル移動機構を備えると共に該傾動枠体の下部に前記縦ナット筒に対応して上下方向に貫通する貫通孔を有する回転筒体を上下回動可能にして取付け、前記縦ナット筒に回転縦ネジ軸を螺合貫通させると共に該回転縦ネジ軸の先端部を前記回転筒体に回転可能にして挿入係止させたことを特徴とするものである。
【０００５】
【発明の実施の形態】
以下本発明の実施の形態を図面に基づいて詳しく説明する。まず図１、２においてブラスト室を構成する側壁１には、ノズル挿入開口２が設けられており、該側壁１外側におけるノズル挿入開口２の対応位置には縦回転トラニオン３が取付けられている。なお該縦回転トラニオン３は、図２に示すようにその内部に傾動（上下方向に回転）可能にされると共に横方向に貫通孔を有する回転体４を備えている。
【０００６】
前記側壁１における縦回転トラニオン３の下方位置には取付けフレーム５を介して支持枠６が高さ位置調整可能にしてネジ締結されていて、支持枠６が前記縦回転トラニオン３の背後下方に位置されている。
該支持枠６の背後縦面には図３に示すように軸受７を介して縦ナット筒８が上下回動（左右傾動）可能にして支持されており、該縦ナット筒８には下端に手ハンドル９を付属させた回転縦ネジ軸１０が螺合貫通されている。
また前記支持枠６から縦ナット筒８に亘る上方位置には、ノズル移動機構を備えた傾動枠体１１が配置されている。なお前記縦回転トラニオン３の回転体４は、図２に示すように傾動枠体１１に取付けたフレーム１１Ａ、１１Ａに回転可能に支持されている。
【０００７】
該傾動枠体１１にはブラストノズル１２が左右に貫通されていて、該ブラストノズル１２の先端側は、前記縦回転トラニオン３の回転体４の貫通孔を摺動可能にして貫通され、さらにノズル挿入開口２を貫通してその先端をブラスト室内に臨まされている。なお回転体４の貫通孔にはＯリングシール１３、１３が嵌め込まれてブラストノズル１２との間の気密性が保持されている。
また傾動枠体１１の下部における前記縦ナット筒８に対応する位置には、図３に示すように軸受１４を介して回転筒体１５が前記縦ナット筒８の回動と同じ方向に回動可能にして設けられていて、該回転筒体１５には前記回転縦ネジ軸１０の先端部が回転可能にして挿入係止されている。すなわち傾動枠体１１は、前記手ハンドル９を回転させることにより回転縦ネジ軸１０と共に上下動され、前記縦回転トラニオン３の回転体４を中心にして傾動される構成にされている。これにより、ブラストノズル１２も回転体４を中心にして傾動される。
【０００８】
次に前記傾動枠体１１に備えられているノズル移動機構について説明する。傾動枠体１１の内底部には水平ガイドレール１６が前記ブラストノズル１２に沿って平行に敷設されており、該水平ガイドレール１６には移動体１７が水平移動可能にして係合されると共に該移動体１７は前記ブラストノズル１２の中間部に取付体１８を介して連結固着されている。
さらに傾動枠体１１内のブラストノズル１２の上部位置には回転横ネジ軸１９がブラストノズル１２に沿って平行かつ回転可能にして設けられており、該回転横ネジ軸１９には２個の移動ナット２０、２０が適当な間隔をおいて螺合され、該移動ナット２０、２０は連結体２１、２１を介してブラストノズル１２の上部に凹凸嵌合固定されている。
【０００９】
また回転横ネジ軸１９の右寄り位置には第１歯車２２が固着されていて傾動枠体１１の右側上部位置に回転可能にして支持された回転軸に取付けた第２歯車２３が噛合されていると共に該第２歯車２３は回転軸に連結されている手ハンドル２４の回転操作により回転されるようになっている。
すなわち手ハンドル２４を回転させると第２、１歯車２３、２２を介して回転横ネジ軸１９が回転され、この回転に伴って移動ナット２０、２０が同時に前進又は後退されて連結体２１、２１を介してブラストノズル１２を前進又は後退させるように構成されている。
【００１０】
なお図中符号２５は傾動枠体１１の下部に取付けられたストッパ片であり、前記支持枠６内に臨み、ネジストッパ２６、２７により傾動枠体１１の傾斜を一定範囲内に制限するように構成されている。
またブラストノズル１２の基端は継手２８を介して投射材の輸送ホース２９に連通連結されている。
【００１１】
このように構成されたもは、ブラスト室内で処理する製品の形状及び大きさが変わる場合、製品がブラスト室の所定の場所にセットされることからブラスト加工する位置及びブラストノズル１２の先端と製品表面との距離がそれぞれ異なるようになる。このためまず図示されない覗き窓からブラストノズル１２と製品のブラスト位置を確認しながら手ハンドル９を回転させて回転縦ネジ軸１０を縦ナット筒８から上下移動させることにより傾動枠体１１及びブラストノズル１２を縦回転トラニオン３の回転体４を中心にして傾動調整してブラストノズル１２の先端を製品のブラスト加工位置に対応させる。
【００１２】
次に手ハンドル２４を回転させて第２、１歯車２３、２２を介して回転横ネジ軸１９を回転させ、移動ナット２０、２０及び連結体２１、２１を介してブラストノズル１２を前進又は後退させる。この際ブラストノズル１２は、水平ガイドレール１６に係合された移動体１７に取付体１８を介して支持されているため、連結体２１、２１とブラストノズル１２外周との凹凸嵌合固定が外れることはない。
したがってブラストノズル１２の先端と製品表面との距離は、製品形状及び大きさ、あるいはブラストノズル１２の傾動による位置ずれの両方が細かく調整されて最適条件にされる。
以上のようにブラストノズル１２の傾斜及び製品との距離を調整した後ブラスト加工を始める。
なお上記実施の形態では回転縦ネジ軸１０及び回転横ネジ軸１９の回転を手ハンドル９、２４により行うようにしているがモータにより回転させるようにしてもよい。
【００１３】
【発明の効果】
本発明は上記の説明から明らかなように、ブラストノズルを縦回転トラニオンの回転体に対し、横移動可能に貫通させると共に傾動可能に支持させ、該ブラストノズルを回転横ネジ軸と移動ナットとにより構成するノズル移動機構を備えた傾動枠体を貫通させて配置し、該傾動枠体を縦ナット筒に螺合貫通させた回転縦ネジ軸の上端に回転可能にして連結した構成にしたから、ブラストノズルの先端をブラスト室内にセットされた製品に応じた細やかな傾動調整及び距離調整ができるようになり、製品毎の最適条件によりブラスト加工あるいはピーニング加工ができる効果がある。
【図面の簡単な説明】
【図１】本発明の実施形態を示す一部切り欠き正面図である。
【図２】図１におけるＡ−Ａ矢視図である。
【図３】図１におけるＢ−Ｂ矢視図である。
【符号の説明】
３ 縦回転トラニオン
８ 縦ナット筒
９ ２４ 手ハンドル
１０ 回転縦ネジ軸
１１ 傾動枠体
１２ ブラストノズル
１５ 回転筒体
１９ 回転横ネジ軸
２０ 移動ナット
２１ 連結体
【図１】
0004003105.tif 000002
【図２】
0004003105.tif 000003
【図３】
0004003105.tif 000004